(57)【要約】【課題】耐熱性、耐火性、遮音性、施工性に優れた耐火耐熱遮音マットを提供すること。【解決手段】セラミックウールからなる板状の耐火材と、耐火材の一方の面に、第一の耐熱性接着剤を介して配置された第一のクロスと、耐火材の他方の面に、第二の耐熱性接着剤を介して配置された第二のクロスと、を有し、第一のクロスと第二のクロスとを第三の耐熱性接着剤を介して張り合わせ、耐火材の側面を第一のクロス又は第二のクロスの少なくともいずれかにより覆わせた耐火耐熱遮音マットとする。なおこの場合において、クロスはアルミクロスであり、耐火材の側面において、耳部が形成されていることが好ましい。またこの場合において、板状の耐火材は、幅３０ｃｍ以上５０ｃｍ以下、長さ３００ｃｍ以上５００ｃｍ以下、厚さ１ｃｍ以上２ｃｍ以下であることも好ましい。【選択図】図２
0003153915.tif 000002
【実用新案登録請求の範囲】
【請求項１】
セラミックウールからなる板状の耐火材と、
前記耐火材の一方の面に、第一の耐熱性接着剤を介して配置された第一のクロスと、
前記耐火材の他方の面に、第二の耐熱性接着剤を介して配置された第二のクロスと、を有し、
前記第一のクロスと前記第二のクロスとを張り合わせ、前記耐火材の側面を前記第一のクロス又は前記第二のクロスにより覆わせた耐火耐熱遮音マット。
【請求項２】
前記クロスはアルミクロスであり、前記耐火材の側面において、耳部が形成されている請求項１記載の耐火耐熱遮音マット。
【請求項３】
前記板状の耐火材は、幅３０ｃｍ以上５０ｃｍ以下、長さ３００ｃｍ以上５００ｃｍ以下、厚さ１ｃｍ以上２ｃｍ以下である請求項１記載の耐火耐熱遮音マット。
【考案の詳細な説明】
【技術分野】
【０００１】
本発明は、耐火耐熱遮音マットに関する。
【背景技術】
【０００２】
耐火マットは、住宅の内壁に用いられる部材であって、室内の断熱性を確保するとともに、火事等の際、住宅の延焼を最小限に抑えるために用いられるものである。耐火マットとしては、モルタル、金属、セメント、セラミック等種々の耐火マットが提案されている。
【考案の概要】
【考案が解決しようとする課題】
【０００３】
ところで窯業系の耐火マットはセメント等であり、耐火性には優れているが比重が大きく重いといった課題があり、施工性に課題が残る。またポリマー等を用いる例もあるが、耐熱性に改良の余地があるだけでなく、発火しない程度の温度でも熱が加わった場合発煙し、有毒ガスが発生する恐れがある。また遮音性についても検討がなされていない。
【０００４】
また近年、住宅から漏れ出る生活音に起因する近隣住宅トラブルを未然に防止するため、防音設備を設ける住宅も増えてきているが、防音設備は高価になるといった課題がある。
【０００５】
そこで本考案は、上記課題を鑑み、耐熱性、耐火性、遮音性、施工性に優れた耐火耐熱遮音マットを提供することを目的とする。
【課題を解決するための手段】
【０００６】
本考案の一観点に係る耐火耐熱遮音マットは、セラミックウールを含む板状の耐火材と、耐火材の一方の面に、第一の耐熱性接着剤を介して配置された第一のクロスと、耐火材の他方の面に、第二の耐熱性接着剤を介して配置された第二のクロスと、を有し、第一のクロスと前記第二のクロスとを張り合わせ、耐火材の側面を第一のクロス又は第二のクロスにより覆わせたものである。
【０００７】
本観点において、限定されるわけではないが、クロスはアルミクロスであり、耐火材の側面において、耳部が形成されていることが好ましい。
【０００８】
本観点において、限定されるわけではないが、板状の耐火材は、幅３０ｃｍ以上５０ｃｍ以下、長さ３００ｃｍ以上５００ｃｍ以下、厚さ１ｃｍ以上２ｃｍ以下であることが好ましい。
【考案の効果】
【０００９】
以上本考案により、耐熱性、耐火性、遮音性、施工性に優れた耐火耐熱遮音マットを提供することができる。
【図面の簡単な説明】
【００１０】
【図１】実施形態に係る耐火耐熱遮音マットの概略斜視図である。
【図２】図１のＡ−Ａ’で切断した場合の断面図である。
【考案を実施するための最良の形態】
【００１１】
以下、本考案を実施するための最良の形態について図面を用いて詳細に説明するが、本考案は多くの異なる形態による実施が可能であり、以下に示す実施形態の例示にのみ限定されるものでないことはいうまでもない。
【００１２】
図１は、本実施形態に係る耐火耐熱遮音マットの概略斜視図であり、図２は耐火耐熱遮音マットの概略断面図（図１のＡ−Ａ’で切断した場合の断面図）である。これらの図で示すように、本耐火耐熱遮音マット１は、セラミックウールからなる板状の耐火材２と、耐火材２の一方の面２１に、第一の耐熱性接着剤３１を介して配置された第一のクロス４１と、耐火材２の他方の面２２に、第二の耐熱性接着剤３２を介して配置された第二のクロス４２と、を有し、第一のクロス４１と第二のクロス４２とを第三の耐熱性接着剤３３を介して張り合わせ、耐火材２の側面２３ａ、２３ｂを第一のクロス４１又は第二のクロス４２により覆わせたものである。
【００１３】
本耐火耐熱遮音マット１において、耐火材２は四角形状の板状となっており、長方形状であることが好ましい。長方形状の場合、適宜限定されるわけではないが、幅３０ｃｍ以上５０ｃｍ以下、長さ３００ｃｍ以上５００ｃｍ以下、厚さ１ｃｍ以上２ｃｍ以下であることが日本の住宅建築にあわせて加工しやすく非常に便利である。
【００１４】
また本耐火耐熱遮音マットにおいて、耐火材２の材質はセラミックウールを含む。セラミックウールを採用することで、耐火性、耐熱性に優れているのみならず、非常に遮音性が高く、また加工も容易で施工性に非常に優れている。特に、セラミックウールを採用することで１２００℃程度の熱にさらされた場合であっても、発火し、燃え広がることも煙を発生させることもほとんどない。なおセラミックウールの密度としては、限定されるわけではないが、０．１ｇ／ｃｍ３以上０．５ｇ／ｃｍ３以下であることが好ましい。０．１ｇ／ｃｍ３以上とすることで十分な耐火性と遮音性を確保することができ、０．５ｇ／ｃｍ３以下とすることで軽く、持ち運びやすく、施工性を向上させることができる。
【００１５】
また、本実施形態において、耐火材２には、セラミックウールのみで構成してもよいが、グラスウールや他の難燃材を含ませてもよい。
【００１６】
なお本実施形態において、耐火材２の一方の面２１と第一のクロス４１との間には、第一の耐熱性接着剤３１が設けられ、これらの間を強固に接着している。第一の耐熱性接着剤３１の例としては、耐火材２の耐火温度程度のものがあることが好ましく、シリカやアルミナ等の耐火性セラミックを含む無機接着剤を好適に用いることができる。
【００１７】
また本耐火耐熱遮音マット１において、第一のクロス４１は薄いシートであって、湿気等から耐熱材２を保護するものであり、材料としてはアルミクロスであることが好ましい。アルミクロスとすることで密封性を高くして吸湿等を防止して耐候性を高め、かつ、外部から一方の面に熱が加えられた場合であっても、反対の面において高効率に放熱することが可能となるといった効果がある。
【００１８】
また本実施形態において、第二のクロス４２と耐火材２の他方の面２２との間にも、第二の耐熱性接着剤３２が設けられ、これらの間を強固に接着している。この第二の耐熱性接着剤３２の例としても、耐火材２の一方の面２１と第一のクロス４１の間に設けられるものと同じのものを用いることができ、耐火温度程度のものがあることが好ましく、シリカやアルミナ等の耐火性セラミックを含む無機接着剤を好適に用いることができる。
【００１９】
また本耐火耐熱遮音マット１において、第二のクロス４２も薄いシートであって、湿気等から耐熱材２を保護するものであり、材料としてはアルミクロスであることが好ましく、第一のクロスと同じものであることがより好ましい。アルミクロスとすることで密封性を高くして吸湿等を防止して耐候性を高め、かつ、外部から一方の面に熱が加えられた場合であっても、反対の面において高効率に放熱することが可能となるといった効果がある。
【００２０】
また、本実施形態に係る耐火耐熱遮音マットは、耐火材２の側面２３において、耳部４３が形成されている。これにより、まずマットの一方の面と第一のクロスの間、及び、他方の面と第二のクロスの間の接着を先に行なわせ、一方又は他方の面側とクロスとの間に空気をためず、その後側面を第一又は第二のクロスで確実に覆わせ、空気を抜くことができ、耐火耐熱遮音マットの密封性を確実に行なうことができるようになる。また耳部４３を設けることで、持ち運びの際、耳部４３を把持し、容易に持ち運びが可能となるといった効果もある。なお耳部４３の大きさとしては、耐熱材２の周囲０．５ｃｍ以上２ｃｍ以下、好ましくは１ｃｍ程度の幅を持って形成されていることが好ましい。なお耳部４３の形成は、本実施形態のように第三の耐熱性接着剤３３を介して接着させておくことが好ましいが、第一のクロスと第二のクロスとを圧着させることで行なってもよい。なお第三の耐熱性接着剤３３は、上記第一又は第二と同様の材料を採用することができる。
【００２１】
以上本考案により、耐熱性、耐火性、遮音性、施工性に優れた耐火耐熱遮音マットを提供することができる。
【産業上の利用可能性】
【００２２】
本考案に係る耐火耐熱遮音マットは、住宅建築の材料として生産、使用することが可能であり、産業上の利用可能性を有する。
【図１】
0003153915.tif 000003
【図２】
0003153915.tif 000004